(57)【特許請求の範囲】
【請求項１】
覗き孔を備えた鏡と、この鏡に向けて設置された光源Ａとを備え、覗き孔は鏡の略中心にあり、鏡は鏡面が光源Ａとこの光源Ａの鏡による反射光が覗き孔を通る視線上の定められた焦点Ｆとを２つの焦点とする楕円を当該２つの焦点を結ぶＡーＦ軸回りに回転して得られる回転楕円面の長径端付近の曲面とした凹面に形成される額帯鏡において、
前記光源Ａは、複数のＬＥＤが配設された集合体から成り、鏡に向けて光を照射する前面に着脱可能にキャップが設けられており、
そのキャップは、前記光源Ａの前面中央部に当該光源Ａから鏡へ向かう光を通過させる孔を有し、当該孔を除く部分が光源Ａからの光を遮断するものであり、
前記鏡は、そのキャップの前記孔を通過する光源Ａからの光を焦点Ｆへ向けて反射するものであることを特徴とする額帯鏡。
【発明の詳細な説明】
【０００１】
【発明の属する技術分野】
本発明は、医師が喉の奥や外耳道を見るときに額に装着して使用する鏡に関するものであり、詳しくは患部に照射される光源像のフレアの発生を防止する額帯鏡に関するものである。
【０００２】
【従来の技術】
従来、額帯鏡で鏡に光源から光を当て、反射光により患部を照射するものとして、額帯鏡と別置きした光源装置から光ファイバーで光を額帯鏡に導くようにしたもの、或いは額帯鏡の固定帯やブラケットに鏡に向けて光源を取り付けたものがある。
【０００３】
しかし、光源の光を光ファイバーで導いて照射するものでは、あまり拡散しない光束で患部を照射することができるが、この場合は光軸の方向と視線の方向にずれが生ずるのを避けられず、そのずれに起因する影が生ずる。
又、額帯鏡の固定帯やブラケットに鏡に向けて光源を取り付けたものは、医師が額の向きを変えたときに光源と鏡とが同時に動き、鏡で反射された光源の光は常に医師の顔の向きに従うが、この場合は鏡の下辺部分に視線を通す凹所を設けた構造であるため、鏡で反射した光線の光軸と視線とが一致しない。
【０００４】
又、従来の額帯鏡の光源の光を凹面鏡で反射させて患部を照射するものは、光の照射方向が一方向だけとなるので検者が顔を動かすたびに光軸がずれ、又患部の周辺の広い範囲にわたって照射されるため、喉の奥や外耳道の奥よりもその周囲の方が明るく照射されて患部が見にくくなる。
【０００５】
【発明が解決しようとする課題】
そこで、本出願人は外耳道の奥等を観察する際に、比較的小さな光源で顔の動き等によってあまり変化しない安定した照度が得られ、かつ影を生ずることが少なく、患部の観察をより容易にかつ正確に行うことが可能な額帯鏡を特願平９ー２１５５３５（特開平１１ー４２２１３）号として既に出願している。
【０００６】
この発明の額帯鏡は図４に示すように、覗き孔４’を備えた鏡３’と、この鏡３’に向けて設置された光源Ａ’とを備えた額帯鏡において、覗き孔４’が鏡３’の略中心にあり、孔Ａ’の鏡３’による反射光が覗き孔４’を通る視線１１’上の定められた焦点Ｆ’に収斂するようにしたことを特徴としている。
又、反射光を焦点Ｆ’に収斂する手段として、鏡３’の鏡面を光源Ａ’と焦点Ｆ’とを２つの焦点とする楕円を当該２つの焦点を結ぶＡ’ーＦ’軸回りに回転して得られる回転楕円面の長径端付近の曲面とした凹面鏡としたものである。
【０００７】
この発明では光源Ａ’から放射された光は、覗き孔の周囲全体に存在する鏡面で反射され、鏡３’の中心の覗き孔４’を貫通する視線１１’上の設計により定めた焦点Ｆ’に向け反射される。このような作用を備えた鏡３’として回転楕円面鏡が最も適している。
又、焦点Ｆ’近くでは視線１１’の上下左右すべての鏡面から反射された光線が存在するので、例えば外耳道の上面は鏡３’の下方からくる光で、又下面は鏡３’の上方からくる光で照射されるから、照射部分に影が生ずるのを大幅に軽減できるものとなっている。
【０００８】
しかし、理論上点光源から入射する光を鏡で反射させると、反射光を一方向へ制御することができるが、大きさをもつ光源Ａ’から放射された光は、実際は図４で表されているような一本の線ではなく、束としてあらゆる方向へ放射されているのである。
又、焦点においても、楕円の二つの焦点を結ぶ中心線上に光源装置を配置したとすると、花弁のような光源像が得られると思われるが、実際には光源装置により光が遮断され、なによりも覗き孔を遮り器械としての役目がなくなる。
そこで、これを避けるため鏡面を下方にずらしてあるが、この場合光源像はフレアが発生する。したがって、照射された患部は周囲も明るく照射された状態となり見にくくなる。
【０００９】
又、ＬＥＤは周辺部に配設されているものは中央部に向けて配設されているが、周辺部のＬＥＤは中央部のＬＥＤに比べて放射された光の誤差も大きくなり、フレアが発生し易い。
又、ＬＥＤ自体は発光したときに全周囲に均等な明かりを放射するのでなく、中心部の先端方向に最も明かるくなるように光が向かうが、必ずしも一点には集中せずに周辺の光も放射され、フレアの発生は避けることができないのである。
【００１０】
上記点より本発明は、光源から放射される光のうち、焦点に向かう光を患部に照射し、光源から放射されるその他の方向の光を遮断することにより、患部に照射される光源像のフレアの発生を防止することが可能な額帯鏡を提供しようとするものである。
【００１１】
【課題を解決するための手段】
上記課題を解決するため本発明額帯鏡は、覗き孔を備えた鏡と、この鏡に向けて設置された光源Ａとを備え、覗き孔は鏡の略中心にあり、鏡は鏡面が光源Ａとこの光源Ａの鏡による反射光が覗き孔を通る視線上の定められた焦点Ｆとを２つの焦点とする楕円を当該２つの焦点を結ぶＡーＦ軸回りに回転して得られる回転楕円面の長径端付近の曲面とした凹面に形成されるものであり、前記光源Ａは、複数のＬＥＤが配設された集合体から成り、鏡に向けて光を照射する前面に着脱可能にキャップが設けられており、そのキャップは、前記光源Ａの前面中央部に当該光源Ａから鏡へ向かう光を通過させる孔を有し、当該孔を除く部分が光源Ａからの光を遮断するものであり、前記鏡は、そのキャップの前記孔を通過する光源Ａからの光を焦点Ｆへ向けて反射するものである。
【００１２】
上記構成を有する本発明は、光源Ａに焦点Ｆに向かう光源Ａからの光を通す孔を中央部に有するキャップを着脱可能に設けたため、光源Ａから鏡に向かう光で焦点Ｆ以外の方向へ向かう周辺の光はキャップの孔を通らないので遮断され、特に複数のＬＥＤのうち、周辺部のＬＥＤは中央部のＬＥＤに比べ、互いの光で打ち消されることがなく、患部に不均等な明かりの光源像として照射されるが、これが遮断されることによりフレアの発生は防止され、患部に拡散しない光束で均等な光源像を得ることができ、患部が見やすくなる。
【００１３】
【発明の実施の形態】
以下、本発明の一実施の形態を図面に基づき説明する。
図１は本発明額帯鏡の斜視図であり、図中１は額帯鏡を頭部に装着するるための固定帯、２は固定帯１から延びるブラケット、３は鏡、４は鏡３の中心に設けられた覗き孔、５は鏡３を保持している鏡枠、６は鏡枠５から延びるブラケットで、固定帯側のブラケット２と鏡枠側のブラケット６との先端相互は自在継手７で連結されている。
【００１４】
ＡはＬＥＤ等の光源であり、複数のＬＥＤの集合体で構成され、中心部に配設されたＬＥＤの周囲に複数のＬＥＤが同心円上に中心部のＬＥＤの光軸上の定められた焦点に向けられて配設されている。
８は光源Ａを保持するアームで、アーム８は鏡枠側のブラケット６から一体に延び、その先端に光源Ａが鏡３に向けて装着されている。
９は光源Ａを発光するための電池を収容したケースで、この電池ケース９から光源Ａに電源が供給される。光源Ａを点滅させるためのスイッチ１０は操作しやすい適宜な場所に設けられる。
【００１５】
鏡３の鏡面は視線１１より外れた位置（上下左右いずれでもよい）にある光源Ａから放射された光を覗き孔４を通る視線１１上の定められた焦点Ｆ（覗き孔より約３０ｃｍ位）で収斂する形状である。
図の実施例の鏡面は光源Ａと焦点Ｆとを焦点とする楕円をこのＡーＦ軸回りに回転して得られる回転楕円面の長径端付近の中心が長径から偏倚した円領域を利用した凹面鏡である。
【００１６】
１２は光源Ａの前面に着脱可能に設けられるキャップであり、このキャップ１２の中央部に孔１３が穿設されている。キャップ１２は光源Ａのソケット１４の外側に螺合による取り付けでもよく、又ソケット１４の外側に嵌着するだけでもよい。孔１３は図２に示すように、光源Ａの複数のＬＥＤから発する光で中央部のＬＥＤの周辺からの配光は周囲の焦点Ｆに向かう強い光により打ち消されるが、周辺部のＬＥＤの配光（鎖線で示す）で鏡面に向かう光は焦点Ｆからずれてフレアを発生させる原因となり、この配光がキャップ１２により遮断され、焦点Ｆに向かう光が主に孔１３を通過する。
【００１７】
図３は孔１３の大きさが変わることにより患部を照射する拡散範囲が異なる関係を示したもので、小さい径 の孔より通過した光は患部Ｐで小範囲ＣーＣ間の光源像を得られ、大きい径Ｌの孔より通過した光は患部Ｐで大範囲ＤーＤ間の光源像を得ることができるから、患部によって孔１３の大きさが異なるキャップ１２を選択し使用する。
【００１８】
【発明の効果】
本発明によれば、光源Ａから鏡に向かう光で焦点Ｆ以外の方向へ向かう周辺の光はキャップにより遮断され、焦点Ｆに向かう光がキャップの孔を通過するので、患部に照射される光源像はフレアの発生が防止され、均等な光源像となり非常に見やすくなる。又、光源像の照射範囲も選択が可能で、患部に応じた照明を得ることができる。
【図面の簡単な説明】
【図１】本発明額帯鏡の斜視図である。
【図２】本発明額帯鏡の実施例を示す要部断面図である。
【図３】本発明額帯鏡の実施例を示す要部断面図である。
【図４】従来の額帯鏡の使用の説明を示す断面図である。
【符号の説明】
３  鏡
４  覗き孔
Ａ  光源
１１  視線
１２  キャップ
１３  孔
Ｆ  焦点
Ｐ  患部
【図１】
0004587244.tif 000002
【図２】
0004587244.tif 000003
【図３】
0004587244.tif 000004
【図４】
0004587244.tif 000005